(57)【要約】  システム、方法、および装置は、第１のベース表面積を有し、底面を含まない上部テント部分と、第１のベース表面積よりも大きい第２のベース表面積を有する底面を含み、上部テント部分に取り外し可能に固定されるベース拡張部分と、を含むモジュール式テントであって、ベース拡張部分は、上部テント部分に固定されると、モジュール式テントのベース表面積が第２のベース表面積まで増大することをもたらす、モジュール式テントを含む。
2019505706.tif 000002
【特許請求の範囲】
【請求項１】
モジュール式テントであって、
第１のベース表面積を画定し、底面を含まない上部テント部分と、
前記第１のベース表面積よりも大きい第２のベース表面積を有する底面を含み、かつ、前記上部テント部分に取り外し可能に固定されるベース拡張部分と、を含み、
前記ベース拡張部分は、前記上部テント部分に固定されると、前記モジュール式テントのベース表面積が前記第２のベース表面積まで増大することをもたらす、モジュール式テント。
【請求項２】
前記上部テント部分が出入口を含み、前記ベース拡張部分が出入口拡張部分を含む、請求項１に記載のモジュール式テント。
【請求項３】
前記出入口拡張部分が、前記モジュール式テントの入口通路高さを下げる、請求項２に記載のモジュール式テント。
【請求項４】
前記出入口拡張部分が前記出入口に取り外し可能に固定される、請求項２に記載のモジュール式テント。
【請求項５】
前記ベース拡張部分が、ジップファスナを使用して前記上部テント部分に取り外し可能に固定される、請求項１に記載のモジュール式テント。
【請求項６】
１つまたは複数のテントポールをさらに含み、前記テントポールがそれぞれ長さが調整可能である、請求項１に記載のモジュール式テント。
【請求項７】
１つまたは複数の調整可能な寸法を有するレインフライをさらに含む、請求項１に記載のモジュール式テント。
【請求項８】
前記ベース拡張部分が、ジップファスナ、フックアンドループファスナ、圧入ファスナ、または着脱可能なスライダの少なくとも１つを使用して前記上部テント部分に取り外し可能に固定される、請求項１に記載のモジュール式テント。
【請求項９】
底面を含むベース拡張部分であって、底面を含まない上部テント部分によって画定されるベース表面積を増大させるために前記上部テント部分に取り外し可能に固定されるように構成されるベース拡張部分と、
前記ベース拡張部分を前記上部テント部分に固定するためのファスナと、
を含む、装置。
【請求項１０】
前記ベース拡張部分が、前記上部テント部分の入口通路を拡張するための出入口拡張部分を含む、請求項９に記載の装置。
【請求項１１】
前記出入口拡張部分が、前記上部テント部分の出入口に取り外し可能に固定されるように構成される、請求項１０に記載の装置。
【請求項１２】
前記ファスナが、ジップファスナ、フックアンドループファスナ、圧入ファスナ、または着脱可能なスライダの少なくとも１つを含む、請求項９に記載の装置。
【請求項１３】
底面を含まない上部テント部分を有するモジュール式テントを配備するステップと、
底面を含む取り外し可能な第１のベース拡張部分を前記モジュール式テントの上部テント部分に固定するステップであって、前記第１のベース拡張部分は、前記上部テント部分によって画定される既存のベース表面積と異なる第１のベース表面積を有する、ステップと、
を含む、方法。
【請求項１４】
前記取り外し可能な第１のベース拡張部分を前記モジュール式テントの上部から取り外すステップと、
底面を含む第２のベース拡張部分を前記モジュール式テントの上部テント部分に固定するステップであって、前記第２のベース拡張部分が、前記第１のベース表面積よりも大きい第２のベース表面積を有する、ステップと、
をさらに含む、請求項１３に記載の方法。
【請求項１５】
前記上部テント部分が出入口を含み、前記第２のベース拡張部分が出入口拡張部分を含む、請求項１４に記載の方法。
【請求項１６】
前記第１のベース拡張部分が出入口拡張部分を含まない、請求項１５に記載の方法。
【請求項１７】
前記第２のベース拡張部分が前記上部テント部分に固定されると、前記出入口拡張部分は、前記出入口に取り外し可能に固定される、請求項１５に記載の方法。
【請求項１８】
前記出入口拡張部分が、前記モジュール式テントの入口通路高さを下げる、請求項１５に記載の方法。
【請求項１９】
前記第１のベース拡張部分に基づいて支持ポールの長さを調整するステップと、
前記支持ポールを前記上部テント部分に固定するステップと、
をさらに含む、請求項１３に記載の方法。
【請求項２０】
前記第１のベース拡張部分に基づいてレインフライのサイズを調整するステップと、
前記レインフライを前記モジュール式テントに固定するステップと、
をさらに含む、請求項１３に記載の方法。
【発明の詳細な説明】
【技術分野】
【０００１】
本技術は、キャンピング用具の分野に関する。より詳細には、本技術は、モジュール式テントに関する。
【背景技術】
【０００２】
テントの使用は、キャンパー（カーキャンパー、ハイカー／バックパッカー、登山家、猟師、軍人等）に風雨からの一時的な避難および保護を提供するための一般的でよく知られた手段である。テントは、一般に、テントポールなどの構造部品と、構造部品によって支持される包囲体とを含む。テントは、簡単に運ぶことができるように持ち運び可能なパッケージに折り畳まれることが一般に望ましい。キャンパーは、ニーズに適した様々な属性−サイズ（例えば、最大収容者数）、材質（工業用ポリマーファブリック、綿帆布、メッシュ、アルミニウム、ファイバーグラス等）、形状（ドーム型、六角形、楕円形、ピラミッド型および他の幾何学的設計の組み合わせ等）および品質（夏用、３シーズン用、４シーズン用、カーキャンピング用等）−のテントを購入することができる。キャンパーの中には、そのような様々な属性を有する複数のテントを所有している人もいるため、特定のキャンプ旅行のニーズに基づいて適切なテントを選択することができる。
【発明の概要】
【発明が解決しようとする課題】
【０００３】
本発明の目的は、上記したテントをより向上させたモジュール式テントを提供することにある。
【課題を解決するための手段】
【０００４】
本開示は、第１のベース表面積を画定し、底面を含まない上部テント部分と、第１のベース表面積よりも大きい第２のベース表面積を有する底面を含み、かつ、上部テント部分に取り外し可能に固定されるベース拡張部分と、を含むモジュール式テントであって、ベース拡張部分は、上部テント部分に固定されると、モジュール式テントのベース表面積が第２のベース表面積まで増大することをもたらす、モジュール式テントにおいて具体化することができる。
【０００５】
実施形態において、上部テント部分は出入口を含み、ベース拡張部分は出入口拡張部分を含む。
実施形態において、出入口拡張部分はモジュール式テントの入口通路高さを下げる。
【０００６】
実施形態において、出入口拡張部分は出入口に取り外し可能に固定される。
実施形態において、ベース拡張部分は、ジップファスナを使用して上部テント部分に取り外し可能に固定される。
【０００７】
実施形態において、モジュール式テントは、１つまたは複数のテントポールをさらに含む。テントポールは、長さが調整可能であり得る。
実施形態において、モジュール式テントは、１つまたは複数の調整可能な寸法を有するレインフライをさらに含む。
【０００８】
実施形態において、ベース拡張部分は、ジップファスナ、フックアンドループファスナ、圧入ファスナ、または着脱可能なスライダの少なくとも１つを使用して上部テント部分に取り外し可能に固定される。
【０００９】
本開示はまた、底面を含むベース拡張部分であって、底面を含まない上部テント部分によって画定されるベース表面積を増大させるために上部テント部分に取り外し可能に固定されるように構成されるベース拡張部分と、ベース拡張部分を上部テント部分に固定するためのファスナとを含む装置において具体化することができる。
【００１０】
実施形態において、ベース拡張部分は、上部テント部分の入口通路を拡張するための出入口拡張部分を含む。
実施形態において、出入口拡張部分は、上部テント部分の出入口に取り外し可能に固定されるように構成される。
【００１１】
実施形態において、ファスナは、ジップファスナ、フックアンドループファスナ、圧入ファスナ、または着脱可能なスライダの少なくとも１つを含む。
本開示はまた、底面を含まない上部テント部分を有するモジュール式テントを配備するステップと、底面を含む取り外し可能な第１のベース拡張部分をモジュール式テントの上部テント部分に固定するステップであって、第１のベース拡張部分は、上部テント部分によって画定される既存のベース表面積と異なる第１のベース表面積を有する、ステップと、を含む方法において具体化することができる。
【００１２】
実施形態において、方法は、取り外し可能な第１のベース拡張部分をモジュール式テントの上部から取り外すステップと、底面を含む第２のベース拡張部分をモジュール式テントの上部テント部分に固定するステップであって、第２のベース拡張部分は、第１のベース表面積よりも大きい第２のベース表面積を有する、ステップと、をさらに含む。
【００１３】
実施形態において、上部テント部分は出入口を含み、第２のベース拡張部分は出入口拡張部分を含む。
実施形態において、第１のベース拡張部分は出入口拡張部分を含まない。
【００１４】
実施形態において、第２のベース拡張部分が上部テント部分に固定されると、出入口拡張部分は、出入口に取り外し可能に固定される。
実施形態において、出入口拡張部分は、モジュール式テントの入口通路高さを下げる。
【００１５】
実施形態において、方法は、第１のベース拡張部分に基づいて支持ポールの長さを調整するステップと、支持ポールを上部テント部分に固定するステップと、をさらに含む。
実施形態において、方法は、第１のベース拡張部分に基づいてレインフライのサイズを調整するステップと、レインフライをモジュール式テントに固定するステップと、をさらに含む。
【００１６】
開示される技術の多くの他の特徴、応用、実施形態、および／または変形形態は、添付の図面および以下の詳細な記載から明らかになることが認識されるであろう。開示される技術の原理から逸脱することなく、本明細書に記載の構造、システム、および方法の追加のおよび／または代替の実装形態を採用することができる。
【図面の簡単な説明】
【００１７】
【図１】本開示の実施形態による、第１のより小さいベース拡張部分を有するモジュール式テントの斜視図である。
【図２】本開示の実施形態による、第２のより大きいベース拡張部分を有するモジュール式テントの斜視図である。
【図３】本開示の実施形態による、モジュール式テントの上部テント部分の斜視図である。
【図４】本開示の実施形態による、第１のベース拡張部分の斜視図である。
【図５】本開示の実施形態による、図３の上部テントと、図４の第１のベース拡張部分とを組み込むモジュール式テントの斜視図である。
【図６】本開示の実施形態による、出入口拡張部分を有する第２のベース拡張部分の斜視図である。
【図７】本開示の実施形態による、図３の上部テント部分と、図６の第２のベース拡張部分とを組み込むモジュール式テントの斜視図である。
【図８】本開示の実施形態による、モジュール式テントの組立てに関連する例示的な方法を示す。
【発明を実施するための形態】
【００１８】
図面は、開示される技術の様々な実施形態を、単に説明することを目的として示す。図面は、同様の要素を識別するために同様の参照番号を使用する。当業者であれば、本明細書に記載の開示される技術の原理から逸脱することなく、図面に示された構造および方法の代替の実施形態を利用できることを以下の考察から容易に理解するであろう。
（ベース拡張部分を有するモジュール式テント）
テントは、キャンパー（例えば、カーキャンパー、ハイカー／バックパッカー、登山家、猟師、軍人等）に風雨からの一時的な避難および保護を提供する一般的でよく知られた手段である。テントは、一般に、テントポールなどの構造部品と、風雨から使用者を保護するために構造部品によって支持される包囲体と、を含む。テントは、簡単に運ぶことができるように持ち運び可能なパッケージに折り畳まれることが一般に望ましい。キャンパーは、ニーズに適した様々なサイズ（例えば、最大収容者数）、材質（例えば、工業用ポリマーファブリック、綿帆布、メッシュ、アルミニウム、ファイバーグラス等）、形状（ドーム型、六角形、楕円形、ピラミッド型および他の幾何学的設計の組み合わせ）および品質（例えば、夏用、３シーズン用、４シーズン用、カーキャンピング用等）のテントを購入することができる。テントは、収容可能な人数に基づいて売られることが多い。例えば、顧客は、１人用テントから１２人用テントまでを一般小売業者から購入することができる。テント内に収容可能な総人数は、テントによって提供されるベース表面積に大きく依存する。例えば、３．７２平方メートル（４０平方フィート）のベース表面積を有するテントは、２人を快適に収容することができ、９．２９平方メートル（１００平方フィート）のベース表面積を有するテントは、５人を快適に収容することができる。
【００１９】
いくつかの例では、顧客、特に頻繁にキャンプをする人は、様々なサイズのグループに適応するために異なるサイズの複数のテントを購入する必要性を感じる場合がある。その結果、顧客は、キャンプ用具のために多額の資金を使わなければならなくなる。さらに、顧客は、特定の旅行のためには必要だが、それほど頻繁に必要としない可能性があるいくつかのサイズの１つまたは複数のテントを購入および保管する必要性を感じることがある。例えば、６人以上の大規模なグループでキャンプに行くことがめったにない４人の常連のキャンパーは、それにもかかわらず、そのキャンパーがより大きいグループでキャンプに行く数少ない機会のために６人用のテントを購入しなければならない、あるいは代替的に別の２人用のテントを購入し、そのグループを２つのテントに分割しなければならなくなることがある。
【００２０】
したがって、改良された問題解決への手法は、従来の手法に関連するこれらおよび他の欠点を克服するために有益であり得る。開示される技術は、モジュール式テントのサイズを変えることができる取り外し可能なベース拡張部分を有するモジュール式テントを提供する。いくつかの実施形態において、使用者は、特定の旅行のニーズに応じてモジュール式テントの寸法を増大させるために、モジュール式テントの上部テント部分にベース拡張部分を取り付けることができる。同様に、使用者は、モジュール式テントの寸法を低減するために、モジュール式テントの上部テント部分からベース拡張部分を取り外すこともできる。このように、使用者は、モジュール式テントのサイズを調整するために使用できる様々なベース拡張部分を備えた単一のモジュール式テントを購入することにより、保管スペースとコストとの両方を節約することができる。
【００２１】
図１は、上部テント部分１０５とベース拡張部分１１０とを含むモジュール式テント１００を示す。様々な実施形態において、上部テント部分１０５は、底面、構造および裏地を有さず、したがって、設置される地面に対して露出した状態となる。上部テント部分１０５が配備されると、上部テント部分１０５の最も下側の縁部は、ベース表面積を画定することができる。いくつかの実施形態において、上部テント部分１０５は、テントとして使用されるために底部（例えば、接面部分）と対にされ得る。代替的に、いくつかの実施形態において、上部テント部分１０５は、ベース拡張部分１１０と併せて使用することができる。ベース拡張部分１１０は、ベース拡張部分１１０の基部が、ベース拡張部分１１０が設置される地面に対して露出した状態になることを防止する底面、構造または裏地１５０を有する。このような実施形態において、ベース表面積を含むモジュール式テント１００の１つまたは複数の寸法、したがってモジュール式テント１００の大きさは、ベース拡張部分１１０を上部テント部分１０５に接合することによって増大させることができる。いくつかの実施形態において、ベース拡張部分１１０は、第２のベース拡張部分がテントの上部１０５に固定されることを可能にするために取り外すことができる。このような実施形態において、第２のベース拡張部分は、ベース拡張部分１１０のベース表面積、ならびに上部テント部分１０５のベース表面積より大きいベース表面積を有することができる。このように、第２のベース拡張部分を上部テント部分１０５に取り付けることにより、モジュール式テント１００の全体的なサイズおよび表面積を増大させて、その使用者のニーズに適合させることができる。
【００２２】
モジュール式テント１００は、支持ポール１１５によって構造的に支持される。支持ポール１１５は、少なくとも複数のストラップ１２０を使用して上部テント部分１０５およびベース拡張部分１１０に固定される。上部テント部分１０５は、出入口１２５を含み、これは、出入口ジップファスナ１３０を使用して開閉することができる。図１に示す実施形態において、出入口ジップファスナ１３０は、出入口１２５の左上隅部から右下隅部まで延在する。ベース拡張部分１１０は、拡張部分ジップファスナ１３５によって上部テント部分１０５に固定される。図１に示す実施形態において、拡張部分ジップファスナ１３５は、出入口１２５の右下隅部付近の開始点１４０で始まり、モジュール式テント１００の周りを開始点１４０のちょうど左側の終了点１４５まで反時計回りに連続する。このような実施形態において、開始点１４０と終了点１４５とは互いに近接しているが、連続しておらず、その結果、明確なジップファスナ開始点およびジップファスナ終了点がある。このように出入口ジップファスナ１３０と拡張部分ジップファスナ１３５とを配置することにより、出入口ジップファスナ１３０および拡張部分ジップファスナ１３５は、出入口１２５を開閉するために協調して作用することができる。出入口１２５を開くために、出入口ジップファスナ１３０は、出入口ジップファスナ１３０の取っ手を出入口１２５の右下隅部から左上隅部まで動かすことにより、完全に開けることができる。拡張部分ジップファスナ１３５は、終了点１４５から出入口１２５の左下隅部の近くまで部分的に開けることができる。これらの２つのジップファスナ１３０、１３５がこのように開けられると、出入口１２５の４つの側のうちの３つは固定されず、したがってテント使用者がモジュール式テント１００に出入りすることが可能になる。開示される実施形態は、単一の連続ジップファスナ１３５を使用するが、２つ以上の個別の独立した部品を使用して上部テント部分１０５をベース拡張部分１１０に接続することができる。例えば、壁隅部ごとに使用される別個のジップファスナがある。さらに、開示される実施形態は、異なる構成要素を一緒に固定するためにジップファスナを使用するが、ジップファスナ、フックアンドループファスナ、圧入ファスナ、取り外し可能なスライダ、ボタン、面ファスナ、およびそれらの類似物を含む任意の適切なファスナを使用できる。
【００２３】
図１において、ベース拡張部分１１０は、高さＨ、ベース長さＬ、およびベース幅Ｗを有することが分かる。図１において、ベース拡張部分１１０は、モジュール式テント１００のベース表面積を増大するために使用される。例えば、上部テント部分１０５は、単独でベース表面積ｘを有する。ベース拡張部分１１０は、ベース表面積ｙを有し、ｙはｘより大きい。この例では、上部テント部分１０５をベース拡張部分１１０に取り付けることにより、モジュール式テント１００のベース表面積はｙとなり、したがって増大する。様々な寸法のベース拡張部分を取り付けることにより、モジュール式テント１００のベース表面積と、したがってモジュール式テント１００のサイズとを修正することができ、このようにしてモジュール式テント１００によって収容できる人数も、より多いまたは少ない人を収容するように必要に応じて変更することができる。
【００２４】
モジュール式テント１００は、単なる一例の設計として提供され、本明細書に記載される実施形態のいずれも、例えば、設計、サイズ、幾何学的形状等を含む多くの方法で変化し得る。例えば、モジュール式テント１００は、ドーム型、六角形、楕円形、ピラミッド型、または任意の他の幾何学的設計であり得る。別の例として、上部テント部分およびベース拡張部分のベース表面積によって画定されるベース表面積は、長方形、三角形、円形等とすることができる。
【００２５】
図２は、図１と同じ上部テント部分１０５を有するが、上部テント部分１０５にジッパー締めされたより大きいベース拡張部分２０５を有するモジュール式テント２００を示す。図２に示されるように、より大きいベース拡張部分２０５は、高さＨ＋ｘ、ベース長さＬ＋ｙ、およびベース幅Ｗ＋ｚを有し、ここで、各ｘ、ｙ、およびｚのサイズは、各高さＨ、ベース長さＬおよびベース幅Ｗを増大させる。図１のベース拡張部分１１０を図２のより大きいベース拡張部分２０５と置き換えることにより、使用者は、ベース表面積と、したがってモジュール式テント２００のサイズとを含め、モジュール式テント２００の寸法を増大することができ、それにより、モジュール式テント２００は、より多くの人および／または備蓄に対応することができる。
【００２６】
この場合、支持ポール１１５もモジュール式テント２００の様々なサイズに基づいて調整されなければならない。例えば、より大きいテントは、より大きい支持ポールを必要とする。これは、様々な方法で対処することができる。いくつかの実施形態において、使用者は、様々なサイズのベース拡張部分と併せて使用される様々な長さの支持ポールを購入できる。いくつかの実施形態において、支持ポール１１５は、支持ポール１１５のサイズをモジュール式テントのサイズに応じて調整できるように延長可能な支持ポールまたはモジュール式支持ポールである。いくつかの実施形態において、支持ポール１１５を上部テント部分１０５およびベース拡張部分２０５に固定するために使用されるストラップ１２０は、サイズまたは長さが可変である。例えば、比較的大きいモジュール式テントを支持するのに十分に長い支持ポールは、ストラップ１２０の長さを増大することにより、より小さいモジュール式テントを支持するために使用される。特定の実施形態において、支持ポール１１５は、ストラップ１２０を使用するのではなく、スリーブを用いて固定される。この場合、ストラップ１２０の長さを調整するのではなく、スリーブの寸法が、様々な寸法のモジュール式テントおよびベース拡張部分に対応するために調整される。
【００２７】
テントの外側を覆うための外側カバーまたはレインフライの使用が一般的である。本明細書で開示されるモジュール式テント１００、２００と併せて使用されるレインフライは、モジュール式テントおよび／またはベース拡張部分の寸法に基づいてレインフライの寸法を調整するための拡張部分を含むこともできる。例えば、より小さいモジュール式テント１００を覆うのに十分な大きさのレインフライを提供することができ、およびレインフライ拡張部分をレインフライに固定して、レインフライの寸法を増大してより大きいモジュール式テント２００を覆うことができる。代替的に、より小さいモジュール式テント１００のための完全なレインフライを、より大きいモジュール式テント２００の部分的なレインフライとして使用することもできる。代替的に、上部テント部分１０５を覆うのに適した部分的なレインフライを、モジュール式テント１００および２００の両方の部分的なレインフライとして使用することができる。レインフライ拡張部分は、ジップファスナ、フックアンドループファスナ、圧入ファスナ、取り外し可能なスライダおよびそれらの類似物を含む任意の適切なファスナを使用してベースレインフライに固定することができる。レインフライをテント、ポールおよび地面に固定する他の一般認識の特徴は、本明細書に開示されるモジュール式テントのために設計されたレインフライの一部であると理解されるべきである。
【００２８】
図２に示されるベース拡張部分２０５は、出入口拡張部分２１０を含む。出入口拡張部分２１０は、使用者が入口通路の高さを増大させることなくモジュール式テントの高さを増大させることを可能にする。出入口拡張部分２１０は、別個の出入口拡張部分ジップファスナ２１５を使用して開閉される。図２に示す実施形態において、出入口拡張部分ファスナ２１５は、出入口拡張部分の右上隅部から左下隅部へ開かれ、出入口拡張部分の左下隅部から右上隅部へ閉じられる。出入口１２５および出入口拡張部分２１０の作用について、特に図６および図７を参照して本明細書でより詳細に考察する。
【００２９】
図３は、上部テント部分１０５の斜視図を提供する。上で考察したように、上部テント部分１０５は、出入口ジップファスナ１３０を使用して開閉できる出入口１２５を含む。矢印３００で示すように、出入口ジップファスナ１３０は、出入口１２５の左上隅部と右下隅部との間で移動可能である。図３に示す実施形態において、出入口１２５は、出入口ジップファスナ１３０の取っ手を右下隅部から左上隅部へスライドさせることによって開かれる。同様に、出入口１２５は、出入口ジップファスナ１３０の取っ手を左上隅部から右下隅部へ反対方向にスライドさせることによって固定され閉じられる。上部テント部分１０５は、拡張部分ジップファスナ１３５ａの上部を、ベース拡張部分上の拡張部分ジップファスナの対応する下部に固定することにより、ベース拡張部分に固定することができる。様々な実施形態において、上部テント部分１０５は、そのベース部分で開放しており、底面を有さない。
【００３０】
図４は、拡張部分ジップファスナ１３５ｂの下部を含むベース拡張部分１１０の斜視図を提供する。様々な実施形態において、ベース拡張部分１１０は、モジュール式テント１００のための底面を提供する底面４０２を含む。
【００３１】
図５は、拡張部分ジップファスナ１３５を介してベース拡張部分１１０に固定された上部テント部分１０５の斜視図を提供する。上で考察したように、上部テント部分１０５は、開始点１４０において拡張部分ジップファスナ１３５ａの上部を拡張部分ジップファスナ１３５ｂの下部へ固定することによってベース拡張部分１１０に固定することができる。拡張部分ジップファスナ１３５は、ジップファスナ１３５の取っ手を、開始点１４０のちょうど左側に位置する終了点１４５に到達するまで、モジュール式テント１００の周りで反時計回り（矢印５００）に動かすことによって閉鎖される。出入口１２５は、出入口ジップファスナ１３０を出入口の右下隅部から左上隅部（矢印５０５）まで開け、拡張部分ジップファスナ１３５を終了点１４５から出入口１２５の左下隅部近くまで開ける（矢印５１０）ことによって開けることができる。開始点１４０および終了点１４５の構成は、一例として提供されており、当然ながら、他の手法、開始点および終了点を使用して、上部テント部分１０５およびベース拡張部分１１０を固定することができる。
【００３２】
図６は、出入口拡張部分２１０と出入口拡張部分ジップファスナ２１５とを含む、より大きいベース拡張部分２０５の斜視図を示す。出入口拡張部分ジップファスナ２１５は、出入口拡張部分ジップファスナ２１５の取っ手を、出入口拡張部分２１０の左下隅部から出入口拡張部分２１０の右上隅部までスライドさせることによって固定または閉じることができる。出入口拡張部分２１０は、出入口拡張部分ジップファスナ２１５を、矢印６００で示されるように反対方向にスライドすることによって開けることができる。上述したように、いくつかの実施形態において、取外し可能なベース拡張部分２０５は、ベース拡張部分２０５の基部が地面に対して露出した状態となることを防止し、モジュール式テント２００の底面を提供する底面、構造、または裏地６０２を有する。図６に示すように、出入口拡張部分ジップファスナ２１５は、出入口拡張部分ジップファスナ２１５の取っ手を曲線６０４に沿ってスライドさせることにより、出入口拡張部分２１０を固定するように構成される。しかしながら、ジッパー構造は、実践に応じて異なり得る。例えば、いくつかの実施形態において、ジッパーは、出入口拡張部分ジップファスナ２１５が曲線６０４の代わりに直角に沿って出入口拡張部分２１０を固定するように構成される。
【００３３】
図７は、上部テント部分１０５がより大きいベース拡張部分２０５に固定されたモジュール式テント２００の斜視図を示す。出入口１２５の作用は、図５に関して記載したものと同様である。例えば、出入口は、矢印７０５で示される方向に沿って出入口ジップファスナ１３０を開けることによって開くことができる。しかしながら、この場合、モジュール式テント２００への出入りを可能にするために、拡張部分ジップファスナ１３５を緩める必要はない。代わりに、出入口拡張部分ジップファスナ２１５を矢印７１０によって示される方向に沿って開けることにより、出入口拡張部分２１０を開くことができる。出入口ジップファスナ１３０および出入口拡張部分ジップファスナ２１５がこのように開けられると、出入口１２５および出入口拡張部分２１０は、より低い入口通路高さを有する入口通路（例えば、開口部）を形成するために、単一の接続された部分として開くことができる。いくつかの実施形態において、出入口拡張部分２１０の高さは、ベース拡張部分２０５の基部から出入口拡張部分２１０の基部までの距離として定義される入口通路高さが最大入口通路高さ閾値を満たすか、または均一な入口通路の高さを満たすようなものであり得る。例えば、均一な入口通路高さが１０．１６センチ（４インチ）に設定されている場合、高さ１０．１６センチ（４インチ）のベース拡張部分は、出入口拡張部分を必要とせず、高さ１５．２４センチ（６インチ）のベース拡張部分は、５．０８センチ（２インチ）の出入口拡張部分を必要とし、高さ２５．４センチ（１０インチ）のベース拡張部分は、１５．２４センチ（６インチ）の出入口拡張部分を必要とするなどである。図７に示すように、出入口拡張部分ジップファスナ２１５は、出入口拡張部分ジップファスナ２１５の取っ手を曲線７０４に沿ってスライドさせることにより、出入口拡張部分２１０を固定するように構成される。しかしながら、ジッパー構成は、実践に応じて異なり得る。例えば、いくつかの実施形態において、ジッパーは、出入口拡張部分ジップファスナ２１５が曲線７０４の代わりに直角に沿って出入口拡張部分２１０を固定するように構成される。
【００３４】
上で考察した実施形態において、上部テント部分に固定された単一のベース拡張部分について考察したが、可変寸法を有するモジュール式テントは、複数の拡張部分を互いに固定することにより、およびそれらの複数の拡張部分を上部テント部分に固定することにより達成することもできる。他の実施形態において、ベース拡張部分以外の様々なサイズの様々な構成要素が同じく取り外し可能および交換可能であり得る。例えば、様々なサイズの出入口が利用可能であり得、異なる上部テント部分および異なるベース拡張部分の組み合わせと適合させることができる。
【００３５】
図８は、本開示の実施形態による、モジュール式テントの操作に関連する例示的な方法８００を示す。別段の記載がない限り、本明細書で考察される様々な特徴および実施形態に基づいて、同様のもしくは代替の順序で、または並行して実行される追加の、より少ない、または代替のステップが存在し得る。
【００３６】
ブロック８０２において、例示的な方法８００は、第１のベース表面積を有する第１のベース拡張部分を上部テント部分に固定することができる。ブロック８０４において、例示的な方法８００は、上部テント部分から第１のベース拡張部分を取り外すことができる。ブロック８０６において、例示的な方法８００は、第１のベース表面積と異なる第２のベース表面積を有する第２のベース拡張部分を上部テント部分に固定することができる。
【００３７】
説明を目的として、多数の特定の詳細が本記載の詳細な理解を実現するために記載されている。しかしながら、本開示の実施形態がこれらの特定の詳細なしに実施できることは当業者に明らかであろう。いくつかの例では、本記載を不明瞭にすることを避けるために、モジュール、構造、プロセス、機能、およびデバイスがブロック図の形式で示されている。他の例では、機能ブロック図および流れ図がデータおよび論理の流れを示すために示されている。ブロック図および流れ図の構成要素（例えば、モジュール、ブロック、構造、デバイス、特徴等）は、本明細書に明示的に記載および図示された以外の方法で様々に組み合わされ、分離され、取り除かれ、並べ替えられ、および置き換えられ得る。
【００３８】
本明細書における「一実施形態」、「実施形態」、「他の実施形態」、「一連の実施形態」、「いくつかの実施形態」、「様々な実施形態」、「特定の実施形態」などへの言及は、その実施形態に関連して記載した特定の特徴、設計、構造、または特性が本開示の少なくとも１つの実施形態に含まれることを意味する。例えば、本明細書の様々な箇所における「一実施形態において」または「実施形態において」という句の出現は、必ずしもすべてが同じ実施形態を指しているわけではなく、他の実施形態と相互排他的な別個のまたは代替の実施形態を指しているわけでもない。さらに、「実施形態」等への明示的な言及があるか否かにかかわらず、様々な特徴が記載されており、それらは、いくつかの実施形態において様々に組み合わされ含まれ得るが、他の実施形態では様々に省略され得る。同様に、いくつかの実施形態にとって優先または要件であり得るが、他の実施形態にとってそうでない様々な特徴が記載される。
【００３９】
本明細書で使用される言語は、主に読みやすさおよび教示目的のために選択されており、発明的主題を描写および限定するために選択されていないことがあり得る。したがって、本発明の範囲は、この詳細な記載によって限定されるのではなく、本明細書に基づく出願において発するいずれかの請求項によって限定されることが意図される。したがって、本発明の実施形態の開示は、以下の特許請求の範囲に記載されている本発明の範囲を例示するものであり、限定するものではない。
【図１】
2019505706.tif 000003
【図２】
2019505706.tif 000004
【図３】
2019505706.tif 000005
【図４】
2019505706.tif 000006
【図５】
2019505706.tif 000007
【図６】
2019505706.tif 000008
【図７】
2019505706.tif 000009
【図８】
2019505706.tif 000010
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
モジュール式テントであって、
第１のベース表面積を画定し、底面を含まない上部テント部分であって、少なくともベース拡張部分および別のベース拡張部分に対して選択的に固定可能である上部テント部分を有しており、
前記ベース拡張部分は、前記第１のベース表面積よりも大きい第２のベース表面積を有する底面を含み、
前記別のベース拡張部分は、前記第１のベース表面積および第２のベース表面積よりも大きい第３のベース表面積を有する底面を含み、
前記ベース拡張部分は、前記上部テント部分に固定されると、前記モジュール式テントのベース表面積が前記第２のベース表面積まで増大することをもたらし、
前記別のベース拡張部分は、前記上部テント部分に固定されると、前記モジュール式テントのベース表面積が前記第３のベース表面積まで増大することをもたらす、モジュール式テント。
【請求項２】
前記上部テント部分が出入口を含み、前記ベース拡張部分が出入口拡張部分を含む、請求項１に記載のモジュール式テント。
【請求項３】
前記出入口拡張部分が、前記モジュール式テントの入口通路高さを下げる、請求項２に記載のモジュール式テント。
【請求項４】
前記出入口拡張部分が前記出入口に取り外し可能に固定される、請求項２に記載のモジュール式テント。
【請求項５】
前記ベース拡張部分が、ジップファスナを使用して前記上部テント部分に取り外し可能に固定される、請求項１に記載のモジュール式テント。
【請求項６】
１つまたは複数のテントポールをさらに含む、請求項１に記載のモジュール式テント。
【請求項７】
１つまたは複数の調整可能な寸法を有するレインフライをさらに含む、請求項１に記載のモジュール式テント。
【請求項８】
前記ベース拡張部分が、ジップファスナ、フックアンドループファスナ、圧入ファスナ、または着脱可能なスライダの少なくとも１つを使用して前記上部テント部分に取り外し可能に固定される、請求項１に記載のモジュール式テント。
【請求項９】
底面を含まない上部テント部分を有するモジュール式テントを配備するステップであって、前記上部テント部分は、少なくとも、第１のベース表面積を有する取り外し可能な第１のベース拡張部分および第２のベース表面積を有する取り外し可能な第２のベース拡張部分に対して選択的に固定可能である、ステップと、
前記モジュール式テントに必要な表面積の量を決定するステップであって、前記表面積は前記モジュール式テントに収容される人数に少なくとも部分的に基づき決定される、ステップと、
底面を含む前記取り外し可能な第１のベース拡張部分を前記モジュール式テントの上部テント部分に固定するステップであって、前記第１のベース拡張部分は、前記上部テント部分によって画定される既存のベース表面積と異なる前記第１のベース表面積を有し、前記第１のベース拡張部分の第１のベース表面積は前記モジュール式テントに必要な表面積の量を満たす、ステップと、
を含む、方法。
【請求項１０】
前記取り外し可能な第１のベース拡張部分を前記モジュール式テントの上部から取り外すステップと、
底面を含む第２のベース拡張部分を前記モジュール式テントの上部テント部分に固定するステップであって、前記第２のベース拡張部分が、前記第１のベース表面積よりも大きい第２のベース表面積を有する、ステップと、
をさらに含む、請求項９に記載の方法。
【請求項１１】
前記上部テント部分が出入口を含み、前記第２のベース拡張部分が出入口拡張部分を含む、請求項１０に記載の方法。
【請求項１２】
前記第１のベース拡張部分が出入口拡張部分を含まない、請求項１１に記載の方法。
【請求項１３】
前記第２のベース拡張部分が前記上部テント部分に固定されると、前記出入口拡張部分は、前記出入口に取り外し可能に固定される、請求項１１に記載の方法。
【請求項１４】
前記出入口拡張部分が、前記モジュール式テントの入口通路高さを下げる、請求項１１に記載の方法。
【請求項１５】
前記第１のベース拡張部分に基づいて支持ポールを得るステップと、
前記支持ポールを前記上部テント部分に固定するステップと、
をさらに含む、請求項９に記載の方法。
【請求項１６】
前記第１のベース拡張部分に基づいてレインフライのサイズを調整するステップと、
前記レインフライを前記モジュール式テントに固定するステップと、
をさらに含む、請求項９に記載の方法。
【国際調査報告】
2019505706.tif 000011